(57)【要約】【課題】ディスクの回転で発生した気流を適切に分流してボイスコイルモータのコイル部分に導入し、塵埃パージ性能を犠牲にすることなくコイルの冷却を行う。【解決手段】エンクロージャ１１のディスク収容部に収容された磁気ディスク１３がスピンドルモータ１２によって回転する際に発生する気流Ａが、磁気ディスク１３に対して磁気ヘッドによりデータの読み書きを行う回転アクチュエータアッセンブリ１４とこれを駆動するボイスコイルモータ２０とが収容されたアクチュエータ収容部の内壁に沿って流れるように構成された磁気ディスク装置１０において、ボイスコイルモータ２０を構成する上側ヨーク２１の内部と外部とを連通する連通孔の近傍に分流部材４０を設け、この分流部材４０により内壁面に沿って流れる気流Ａの一部を連通孔に向けて分流し、ボイスコイルモータ２０のコイル２５を冷却するようにした磁気ディスク装置１０である。【選択図】図４
2008112538.tif 000002
【特許請求の範囲】
【請求項１】
内部にディスク収容部とアクチュエータ収容部とを備えるエンクロージャと、
前記ディスク収容部に収容され、回転モータによって回転する少なくとも１枚のディスク媒体と、
前記アクチュエータ収容部に収容され、ヘッドを保持する回転アクチュエータアッセンブリと、
前記回転アクチュエータアッセンブリを駆動するために前記アクチュエータ収容部に収容され、上側ヨーク、上側磁石、下側磁石、下側ヨーク、及び前記回転アクチュエータアッセンブリに取り付けられたコイルを備えるボイスコイルモータと、
前記上側ヨークの内部と外部とを連通する連通孔の近傍に設けられ、前記ディスク媒体の回転によって発生し、前記エンクロージャの内壁面に沿って流れる気流の一部を、前記連通孔に向けて分流する分流部材とを備えることを特徴とするディスク装置。
【請求項２】
前記分流部材が前記エンクロージャとは別体で構成され、前記エンクロージャの内壁面に取り付けられることを特徴とする請求項１に記載のディスク装置。
【請求項３】
前記分流部材が前記エンクロージャと一体的に構成され、前記エンクロージャの内壁面の一部を膨出して形成されることを特徴とする請求項１に記載のディスク装置。
【請求項４】
前記分流部材が前記エンクロージャとは別体で構成され、前記上側ヨークの前記エンクロージャへの取付部に、前記上側ヨークと共締めにより取り付けられることを特徴とする請求項１に記載のディスク装置。
【請求項５】
前記分流部材に、前記エンクロージャの底面に平行な少なくとも１条の溝部が設けられていることを特徴とする請求項２から４の何れか１項に記載のディスク装置。
【発明の詳細な説明】
【技術分野】
【０００１】
本発明はディスク装置に関し、特に、磁気ディスク装置内で、磁気ディスクの回転により発生する循環流を用いてヘッドアクチュエータの駆動部の冷却性能、及び塵埃パージ性能を向上させたディスク装置に関する。
【背景技術】
【０００２】
従来、コンピュータにおけるデータの記憶は、半導体素子による記憶装置であるメインメモリが受け持つが、電源が供給されないとメインメモリの記憶情報は消えてしまうために、データの保存は外部記憶装置によってなされる。この外部記憶装置には磁気ディスク装置が用いられることが多く、中でも記憶容量が大きいことから、磁性体を塗布したデータ記憶用の円板と、円板に対してデータを読み書きする磁気ヘッドから構成されるハードディスク装置が主流になっている。円板は磁性体を塗布したアルミニウムやガラスのディスクを何枚も重ねあわせた構造になっており、これをモータで高速に回転させて磁気ヘッドによってデータを読み書きする。
【０００３】
図１（ａ）、図２は、一般的な磁気ディスク装置１０の構成を示すものである。磁気ディスク装置１０は、エンクロージャ（筐体）１１の内部３０に、スピンドルモータ１２が設けられており、このスピンドルモータ１２には少なくとも１枚の磁気ディスク１３が取り付けられている。磁気ディスク１３はデータを記録するものであり、磁気ディスク１３上に記録されたデータの読み取り、或いは磁気ディスク１３上へのデータの書き込みは、回転アクチュエータアッセンブリ１４の先端部に取り付けられたヘッドスライダ１５にある磁気ヘッドによって行われる。ヘッドスライダ１５の数は、磁気ディスク１３の枚数に対応している。
【０００４】
磁気ヘッドを備えるヘッドスライダ１５はアーム部材１６の先端部に取り付けられており、磁気ディスク１３の上をディスクの半径方向に移動できるようになっている。磁気ディスク装置１０がロード／アンロード方式の場合は、磁気ディスク１３が停止している時にはヘッドスライダ１５を磁気ディスク１３の上から完全に隔離し（アンロードし）、磁気ディスク１３の最外周の記録領域の外部にある保持部（ランプ）１７にヘッドスライダ１５を保持させている。また、磁気ディスク１３が回転すると、ヘッドスライダ１５はディスク上に復帰させる（ロードする）。
【０００５】
回転アクチュエータアッセンブリ１４は、回転軸１８を中心にして、ボイスコイルモータ（ＶＣＭ）２０によって回動される。ボイスコイルモータ２０は、図２に示すように、上側ヨーク２１、上側磁石２２、下側磁石２３、下側ヨーク２４、及び上側磁石２２と下側磁石２３の間に配置されるコイル２５とを備えて構成される。上側ヨーク２１は上側磁石２２に取り付けられ、下側磁石２３は下側ヨーク２４に取り付けられる。コイル２５は回転軸１８に対して、回転アクチュエータアッセンブリ１４のアーム部材１６の反対側に取り付けられている。上側磁石２２と下側磁石２３の間にはコイル２５の厚さ以上の間隔があり、コイル２５への通電により回転アクチュエータアッセンブリ１４が回転軸１８を中心にして揺動する。
【０００６】
上側ヨーク２１には３箇所の取付部２１Ａ，２１Ｂ，２１Ｃがあり、下側ヨークにも同じ位置に３箇所の取付部２４Ａ，２４Ｂ，２４Ｃがあって、エンクロージャ１１の底部に設けられたヨーク取付部３２Ａ，３２Ｂ，３２Ｃにボルトまたはネジで共締めされて取り付けられるようになっている。エンクロージャ１１の底部に設けられたヨーク取付部３２Ａ，３２Ｂ，３２Ｃは、エンクロージャ１１の底部より一段高くなっているが、エンクロージャ１１の底部の周囲に形成された段部３３よりは低くなっている。
【０００７】
この理由は、上側ヨーク２１の取付部２１Ａ，２１Ｂ，２１Ｃと下側ヨークの取付部２４Ａ，２４Ｂ，２４Ｃが、エンクロージャ１１の底部に設けられたヨーク取付部３２Ａ，３２Ｂ，３２Ｃにボルトまたはネジで共締めされて取り付けられた時に、上側ヨーク２１の取付部２１Ａ，２１Ｂ，２１Ｃの表面が段部３３と同じ高さになるようにするためである。なお、上側ヨーク２１の取付部２１Ａ，２１Ｂ，２１Ｃの各個の間には隙間２６がある。
【０００８】
以上のような構成の磁気ディスク装置１０において、磁気ディスク１３が図１（ａ）に矢印で示す方向に高速で回転すると、この回転に伴ってエンクロージャ１１の内部３０に気流が発生し、この気流はエンクロージャ１１の内壁に沿って白抜きの矢印Ａで示す方向に流れる。この気流Ａは次第に弱くなってエンクロージャ１１の内部３０を周回し、循環フィルタ１９を通った後に、磁気ディスク１３側に流入する。
【０００９】
図１（ｂ）はエンクロージャ１１の内部３０における気流の流れが良く分かるように、エンクロージャ１１の内部３０から全ての部品を取り除いた状態を示すものである。エンクロージャ１１の内部３０には、回転アクチュエータアッセンブリ１４やボイスコイルモータ２０などを収容するアクチュエータ収容部３０Ａと、磁気ディスク１３を僅かな隙間を隔てて収容するディスク収容部３０Ｄとがある。
【００１０】
ディスク収容部３０Ｄにおいて、磁気ディスク１３の高速回転によって発生した気流Ａは、ディスク収容部３０Ｄからアクチュエータ収容部３０Ａに流入する。アクチュエータ収容部３０Ａには、ボイスコイルモータ２０の上側ヨーク２１などの障害物があるので、アクチュエータ収容部３０Ａに流入した気流Ａは、この図に示すように、エンクロージャ１１の内壁３１Ｄ，３１Ａに沿って流れる。
【００１１】
ところで、前述のように、コイル２５への通電により回転アクチュエータアッセンブリ１４を回転軸１８を中心にして揺動させると、コイル２５は発熱する。よって、磁気ディスク１３の回転によって発生した気流Ａによって、コイル２５を冷却する必要がある。そこで、特許文献１に記載のデータ記憶装置及びハード・ディスク・ドライブでは、ディスク装置の中空壁に溝を機械加工することによって、あるいはそのような気流用の流路が組み込まれた分離ディスク壁部を挿入することによって、ディスクの回転によって発生した気流をコイルに導いてこれを冷却している。
【００１２】
即ち、特許文献１に記載のデータ記憶装置及びハード・ディスク・ドライブでは、本願の図１（ｂ）に示したディスク収容部３０Ｄに相当する側壁を、ディスク外周に沿ってできるだけアクチュエータ収容部３０Ａ側に延長している。そして、この延長部に溝を機械加工するか、あるいは延長部の先（気流の下流側）に取り付けた樹脂製のシュラウド・インサートの中央部に凹部を設け、溝や凹部を通して気流をコイルに導いてこれを冷却している。
【００１３】
【特許文献１】特開平１１−１１０９６０号公報
【発明の開示】
【発明が解決しようとする課題】
【００１４】
ところが、特許文献１に記載のデータ記憶装置及びハード・ディスク・ドライブで提案するディスク装置の中空壁に溝を機械加工すること、あるいはそのような気流用の流路が組み込まれた分離ディスク壁部（シュラウド・インサート）の挿入では、気流の流入量が小さい上に、最も発熱の大きなコイルの末端部に効率良く気流を当てることができず、コイルの冷却効果が小さいという問題点があった。これは、エンクロージャの内壁がディスク外周に沿ってエンクロージャの内側に突出しているからであり、この突出部によりディスクの回転で生じた気流がエンクロージャの内側に向かい、エンクロージャの外側近傍に配置されたＶＣＭコイルの末端部に届き難いからである。
【００１５】
また、ディスクの回転で発生した気流をボイスコイルモータの磁気回路の形状により、ボイスコイルモータのコイル部分に導いてコイルを冷却しているものもあるが、この方式では、冷却に寄与しない気流の流れが妨げられ、下流に設置されている循環フィルタの投下流量が減少して塵埃パージの性能が低下していた。
【００１６】
そこで、本発明の目的は、ディスクの回転で発生した気流のうち、エンクロージャの壁面に沿って流れる気流をボイスコイルモータのコイル部分に導入し、ボイスコイルモータの上側磁石と下側磁石の間のギャップ部分に流すことにより、コイルの冷却に寄与する気流以外の流れを妨げず、塵埃パージ性能を犠牲にすることのない、気流の分流機構を備えたディスク装置を提供することである。
【課題を解決するための手段】
【００１７】
前記目的を達成する本発明は、エンクロージャ内部にディスク収容部とアクチュエータ収容部とを備え、回転モータによって回転する少なくとも１枚のディスク媒体がディスク収容部に収容され、ヘッドを保持する回転アクチュエータアッセンブリとこれを駆動するボイスコイルモータとがアクチュエータ収容部に収容されたディスク装置において、ディスク媒体の回転によって発生し、エンクロージャの内壁面に沿って流れる気流の一部を分流する分流部材を、上側ヨークの内部と外部とを連通する連通孔の近傍に設け、この分流部材により気流を連通孔から上側ヨークの内部に流入させ、上側ヨーク内にあるボイスコイルモータのコイルを冷却するようにしたことを特徴としている。
【発明の効果】
【００１８】
本発明によれば、エンクロージャの内部でディスクの回転により発生した気流のうち、エンクロージャの壁面に沿って流れる気流をボイスコイルモータのコイル部分に導入し、ボイスコイルモータの上側磁石と下側磁石の間のギャップ部分に流してコイルを冷却することにより、コイルの冷却に寄与する気流以外の流れを妨げないので、塵埃パージ性能を犠牲にすることなく、ボイスコイルモータのコイルを冷却することができる。
【発明を実施するための最良の形態】
【００１９】
以下、添付図面を用いて本発明の実施の形態を、具体的な実施例に基づいて詳細に説明する。なお、従来のディスク装置を構成する部材と同じ構成部材については、同じ符号を付して説明する。また、ディスク装置として、ハードディスク装置のような磁気ディスク装置を例にとって説明する。
【００２０】
図３（ａ）は、本発明の磁気ディスク装置１０の第１の実施例を示すものであり、エンクロージャ１１の内部３０から全ての部品を取り除いた状態を示すものである。エンクロージャ１１の内部３０には、回転アクチュエータアッセンブリ１４やボイスコイルモータ２０などを収容するアクチュエータ収容部３０Ａと、磁気ディスク１３を僅かな隙間を隔てて収容するディスク収容部３０Ｄとがある。
【００２１】
アクチュエータ収容部３０Ａの底部には、図２に示した上側ヨーク２１の取付部２１Ａ，２１Ｂ，２１Ｃと下側ヨークの取付部２４Ａ，２４Ｂ，２４Ｃを取り付けるためのヨーク取付部３２Ａ，３２Ｂ，３２Ｃがある。ヨーク取付部３２Ａ，３２Ｂ，３２Ｃはエンクロージャ１１の底部より一段高くなっており、ヨーク取付部３２Ａ，３２Ｂ，３２Ｃ両隣には更に一段高くなった段部３３が形成されている。
【００２２】
前述のように、ディスク収容部３０Ｄで発生した気流は、ディスク収容部の内壁３１Ｄから、アクチュエータ収容部の内壁３１Ａに沿って、段部３３の上を流れてくる。そこで、本発明の第１の実施例では、ヨーク取付部３２Ａと３２Ｂの間に位置する段部３３に、気流を分流する分流部材４０を取り付ける。分流部材４０には上面４１と底面４３があり、側面の一部が分流面４２となっている。分流面４２は内側に窪んだ湾曲面となっており、内壁３１Ａに沿って流れてきた気流をエンクロージャ１１の内部方向に分流する。
【００２３】
分流部材４０の上面４１のアクチュエータ収容部３０Ａにおける底面からの高さは、アクチュエータ収容部３０Ａにおける磁気回路ギャップ部の、底面から最も高い位置、すなわち、図２に示した上側磁石２２の下面の位置とする。これは、分流部材４０によって分流される気流を、ボイスコイルモータの上側ヨークと下側ヨークとの間の部分、好ましくは上側磁石と下側磁石の間の部分に導くためである。このような構造とすることにより、アクチュエータ収容部の内壁３１Ａに沿って段部３３の上を流れてくる気流を完全に遮断することなく、その一部のみを分流部材４０によって分流することができる。分流部材４０の上面４１のアクチュエータ収容部３０Ａにおける底面からの高さは、コイルの冷却効果と循環フィルタの性能のバランスを考慮して決定することができる。
【００２４】
また、図３（ａ）の実施例では、分流部材４０の上面４１がエンクロージャの内壁の最上面よりも低い構成となっているが、これを同一面とし、エンクロージャのカバーの構成により、エンクロージャと分流部材４０の上面４１との間に隙間を形成するようにして、分流部材４０の上面４１の気流の通路を確保しても良い。
【００２５】
別部材の分流部材４０は、樹脂製とするのが最適であるが、アルミニウムなどの金属材料を押し出し成型し、切断することによって製作することもできる。このような分流部材４０は、図３（ａ）の段部３３に破線で示す位置に取り付けられる。分流部材４０の段部３３への取り付けは、接着、両面テープによる貼り付け、ネジによる螺着などが考えられる。また、段部３３の上に位置決めピンか穴を開け、そこに嵌め込む構造とすることも可能である。
【００２６】
図３（ｂ）は、本発明の磁気ディスク装置１０の第２の実施例を示すものであり、図３（ａ）と同様に、エンクロージャ１１の内部３０から全ての部品を取り除いた状態を示すものである。図３（ａ）で説明した第１の実施例では、エンクロージャ１１の内部３０の段部３３に、別部材の分流部材４０を取り付けていたが、第２の実施例では、第１の実施例の分流部材４０を取り付ける位置に、エンクロージャの一部を膨出させることにより、分流突起５０を設けている。分流突起５０には上面５１と側面があり、側面の一部が分流面５２となっている。エンクロージャの内壁からアクチュエータ収容部に向って延びた面である分流面５２は内側に窪んだ湾曲面となっており、内壁３１Ａに沿って流れてきた気流をエンクロージャ１１の内部方向に分流する。
【００２７】
図４（ａ）は、図３（ａ）に示した分流部材４０、または図３（ｂ）に示した分流突起５０を備えた本発明の磁気ディスク装置１０の平面図であり、図４（ｂ）は図４（ａ）に示した磁気ディスク装置１０の斜視図である。これらの図には、磁気ディスク１３の回転によって発生した気流Ａが分流部材４０または分流突起５０によって分流される様子が示されている。
【００２８】
磁気ディスク１３の矢印で示す方向に回転することによって発生した気流Ａは、ディスク収容部３０Ｄからアクチュエータ収容部３０Ａに流入する。ディスク収容部３０Ｄとアクチュエータ収容部３０Ａとは滑らかに接続されているので、ディスク収容部３０Ｄからの気流Ａは、アクチュエータ収容部の内壁３１Ａに沿ってアクチュエータ収容部３０Ａに流入する。
【００２９】
アクチュエータ収容部の内壁３１Ａに沿って流れる気流Ａは、やがて分流部材４０または分流突起５にぶつかり、その一部が分流面４２または５２によって分流されて分気流Ａ１となる。分気流Ａ１は、上側ヨーク２１の取付部２１Ａと２１Ｂとの間にある隙間２６から上側ヨーク２１内に流入し、ボイスコイルモータ２０のコイル２５を冷却、特にコイル２５の末端部を冷却する。分流面４２または５２の上方を通る気流Ａはそのまま主流Ａ２となり、アクチュエータ収容部の内壁３１Ａに沿ってアクチュエータ収容部３０Ａを周回する。
【００３０】
このように、分流部材４０または分流突起５０を用いて気流Ａを分流し、分流した気流でボイスコイルモータ２０のコイル２５を冷却することにより、コイル温度は約２０°Ｃ低下する。一般的に、エンクロージャ１１の内壁面に磁気ディスク１３の回転によって発生した気流Ａを大きく妨げる構造を適用すると、循環流の下流側に位置する循環フィルタ１９の流量が低下する。ところが、本実施例では、ボイスコイルモータ２０のコイル２５の冷却に寄与する流れだけを分流しているため、循環フィルタ１９の性能劣化は５％に留まっており、塵埃パージ性能に大きな劣化がない。
【００３１】
図５（ａ）、（ｂ）は本発明の磁気ディスク装置の第３の実施例に使用する分流部材４０を示すものであり、図３（ａ）に示した分流部材４０の他の構成を示す斜視図である。第３の実施例の分流部材４０には、上面４１と下面４３の間の部分に、上面４１と下面４３に平行な溝部４４を少なくとも１つ設けている。図５（ａ），（ｂ）は２つの溝部４４を設けた例である。第３の実施例でも、分流部材４０の上面４１のアクチュエータ収容部３０Ａにおける底面からの高さは上側磁石２２の下面の位置としてある。そして、分流部材４０の分流面４２によって分流された気流が、上側磁石２２とコイル２５の間のギャップと、下側磁石２３とコイル２５の間のギャップに流れるようにする。
【００３２】
図５（ｃ）は本発明の磁気ディスク装置の第４の実施例に使用する分流突起５０を示すものであり、図３（ｂ）に示したエンクロージャの内壁を分流突起５０として形成した他の構成を示す斜視図である。第４の実施例では分流突起５０の側面に、上面５１に平行な複数の溝部５４を設けている。第４の実施例でも、分流突起５０の上面５１の、アクチュエータ収容部３０Ａにおける底面からの高さは、図２に示した上側磁石２２の下面の位置としてある。そして、分流部材５０の分流面５２によって分流された気流が、上側磁石２２とコイル２５の間のギャップと、下側磁石２３とコイル２５の間のギャップに流れるようにする。
【００３３】
このような構造とすることにより、図５（ｄ）に示すように、アクチュエータ収容部の内壁３１Ａに沿って段部３３の上を流れてくる気流Ａを完全に遮断することなく、分気流Ａ１と主流Ａ２に分流することができる。溝部４４，５４の数および高さは、コイルの冷却効果と循環フィルタの性能のバランスを考慮して決定することができる。
【００３４】
図６（ａ）、は本発明の磁気ディスク装置１０の第５の実施例を示すものである。第５の実施例では、図６（ｂ）に示すような別体の分流部材６０を、ボイスコイルモータ２０の上側ヨーク２１の、２つある取付部２１Ｂの、取付部２１Ａに近い方の取付部２１Ｂに取り付けている。分流部材６０には、取付孔６５が設けられた取付部６１があり、この取付部６１に分流板６２が接続している。第５の実施例では分流板６２は平板である。分流部材６０は、上側ヨーク２１の取付部２１Ｂを固定するボルトまたはネジを取付部６１の取付孔６５に挿通し、共締めすることによって取付部２１Ｂに固定する。分流部材６０を取付部２１Ｂに固定した時の分流板６２のエンクロージャ１１の底面からの高さは、第２の実施例の分流突起５０の上面５１の高さと同じにすれば良い。
【００３５】
この構造により、アクチュエータ収容部の内壁３１Ａに沿って流れる気流Ａは、分流部材６０にぶつかり、その一部が分流板６によって分流されて分気流Ａ１となる。分気流Ａ１は、上側ヨーク２１の取付部２１Ａと２１Ｂとの間にある隙間２６から上側ヨーク２１内に流入し、ボイスコイルモータ２０のコイル２５を冷却する。分流板６２の上方を通る気流Ａはそのまま主流Ａ２となり、アクチュエータ収容部の内壁３１Ａに沿ってアクチュエータ収容部３０Ａを周回する。なお、分流板６２の幅および長さは、コイルの冷却効果と循環フィルタの性能のバランスを考慮して決定することができる。
【００３６】
図６（ｃ）は本発明の磁気ディスク装置１０の第６の実施例を示す分流部材６０を示すものである。第６の実施例の分流部材６０が第５の実施例の分流部材６０と異なる点は、分流板６２の先端側にスリット６３が設けられている点である。スリット６３の代わりに複数個の孔を設けることもできる。スリット６３の幅および長さは、コイルの冷却効果と循環フィルタの性能のバランスを考慮して決定することができる。
【００３７】
図６（ｄ）は本発明の磁気ディスク装置１０の第７の実施例を示す分流部材６０を示すものである。第７の実施例の分流部材６０が第５の実施例の分流部材６０と異なる点は、分流板６２に湾曲部６４と段差部６６が設けられている点である。湾曲部６４の湾曲形状は、前述の分流部材４０の分流面４２と同様の形状とすることができる。湾曲部６４の形状は、コイルの冷却効果と循環フィルタの性能のバランスを考慮して決定することもできる。第７の実施例の変形例として、分流板６２に第６の実施例同様のスリットや、複数個の貫通孔を設けても良い。
【００３８】
以上、本発明を特にその好ましい実施の形態を参照して詳細に説明した。本発明の容易な理解のために、本発明の具体的な形態を以下に付記する。
【００３９】
（付記１）
内部にディスク収容部とアクチュエータ収容部とを備えるエンクロージャと、
前記ディスク収容部に収容され、回転モータによって回転する少なくとも１枚のディスク媒体と、
前記アクチュエータ収容部に収容され、ヘッドを保持する回転アクチュエータアッセンブリと、
前記回転アクチュエータアッセンブリを駆動するために前記アクチュエータ収容部に収容され、上側ヨーク、上側磁石、下側磁石、下側ヨーク、及び前記回転アクチュエータアッセンブリに取り付けられたコイルを備えるボイスコイルモータと、
前記上側ヨークの内部と外部とを連通する連通孔の近傍に設けられ、前記ディスク媒体の回転によって発生し、前記エンクロージャの内壁面に沿って流れる気流の一部を、前記連通孔に向けて分流する分流部材とを備えることを特徴とするディスク装置。
（付記２）
前記分流部材が前記エンクロージャとは別体で構成され、前記エンクロージャの内壁面に取り付けられることを特徴とする付記１に記載のディスク装置。
（付記３）
前記分流部材が前記エンクロージャと一体的に構成され、前記エンクロージャの内壁面の一部を膨出して形成されることを特徴とする付記１に記載のディスク装置。
（付記４）
前記分流部材が前記エンクロージャとは別体で構成され、前記上側ヨークの前記エンクロージャへの取付部に、前記上側ヨークと共締めにより取り付けられることを特徴とする付記１に記載のディスク装置。
（付記５）
前記分流部材に、前記エンクロージャの底面に平行な少なくとも１条の溝部が設けられていることを特徴とする付記２から４の何れかに記載のディスク装置。
【００４０】
（付記６）
前記分流部材に、前記エンクロージャの底面に平行な方向に穿設された複数個の貫通孔が設けられていることを特徴とする付記２から４の何れかに記載のディスク装置。
（付記７）
前記分流部材が、前記エンクロージャの底面の周囲に設けられた段部の上に設けられていることを特徴とする付記１から３の何れかに記載のディスク装置。
（付記８）
前記分流部材の最上部と最下部の間の前記エンクロージャの底面からの高さが、前記エンクロージャ内に収納されたボイスコイルモータの上側ヨークと下側ヨークの間の部分の前記エンクロージャの底面からの高さにオーバラップしていることを特徴とする付記１から５の何れかに記載のディスク装置。
（付記９）
前記分流部材が、前記上側ヨークの前記エンクロージャへの取付部に共締めされる取付部と、この取付部に直交する方向に接続し、この取付部から離れる方向に延長された矩形形状の平板から構成される分流板を備えることを特徴とする付記４に記載のディスク装置。
（付記１０）
前記分流部材が、前記上側ヨークの前記エンクロージャへの取付部に共締めされる取付部と、この取付部に直交する方向に接続する垂直部と、この垂直部に対して前記取付部と反対方向に折り曲げられた所定長さを有する段差部と、この段差部から延長され、前記取付部側に突に湾曲する湾曲部とから構成される分流板を備えることを特徴とする付記４に記載のディスク装置。
（付記１１）
前記分流部材の最上面の前記エンクロージャの底面からの高さが、前記エンクロージャ内に収納されたボイスコイルモータの上側ヨークに取り付けられた上側磁石の下面の前記エンクロージャの底面からの高さに等しいことを特徴とする付記８に記載のディスク装置。
【図面の簡単な説明】
【００４１】
【図１】（ａ）は従来の磁気ディスク装置の構成と、ディスクの回転により発生する気流のエンクロージャ内の流れを説明する平面図、（ｂ）は（ａ）に示す磁気ディスク装置のエンクロージャの内部から部品を全て取り去って、磁気ディスクの回転により発生する気流の流れのみを示す斜視図である。
【図２】図１（ａ）に示したボイスコイルモータを分解して示す組立斜視図である。
【図３】（ａ）は本発明の磁気ディスク装置の第１の実施例を示すものであり、エンクロージャに取り付ける分流部材とその取り付け位置を示す斜視図、（ｂ）は本発明の磁気ディスク装置の第２の実施例を示すものであり、分流突起を形成したエンクロージャの斜視図である。
【図４】（ａ）は、図３（ａ）に示した分流部材、または図３（ｂ）に示した分流突起を備えた本発明の磁気ディスク装置を流れる気流の状態を示す平面図、（ｂ）は（ａ）に示した磁気ディスク装置の斜視図である。
【図５】（ａ）は本発明の磁気ディスク装置の第３の実施例を示すものであり、図４（ａ）に示した分流部材の他の構成を示す斜視図、（ｂ）は（ａ）に示した分流部材の側面図、（ｃ）は本発明の磁気ディスク装置の第４の実施例を示すものであり、図４（ｂ）に示した分流突起の他の構成を示す部分斜視図、（ｄ）は、（ａ）に示した分流部材、または（ｃ）に示した分流突起を流れる気流を説明する説明図である。
【図６】（ａ）は本発明の磁気ディスク装置の第５の実施例を示すものであり、エンクロージャのヨーク取付部に取り付ける分流部材とこの分流部材による気流の流れを示す平面図、（ｂ）は（ａ）に示した分流部材の斜視図、（ｃ）は本発明の磁気ディスク装置の第６の実施例を示す分流部材の斜視図、（ｄ）は本発明の磁気ディスク装置の第７の実施例を示す分流部材の斜視図である。
【符号の説明】
【００４２】
１０    磁気ディスク
１１    エンクロージャ
１３    磁気ディスク媒体
１４    回転アクチュエータアッセンブリ
１９    循環フィルタ
２０    ボイスコイルモータ
２１    上側ヨーク
２２    上側磁石
２３    下側磁石
２４    下側ヨーク
２５    コイル
３０    エンクロージャの内部
３１Ａ，３１Ｄ    内壁
３２Ａ〜３２Ｃ    ヨーク取付部
３３    段部
４０    分流部材
４４    溝部
５０    分流突起
５４    溝部
６０    分流部材
６１    取付部
６２    分流板
６３    スリット
６４    湾曲部
【図１】
2008112538.tif 000003
【図２】
2008112538.tif 000004
【図３】
2008112538.tif 000005
【図４】
2008112538.tif 000006
【図５】
2008112538.tif 000007
【図６】
2008112538.tif 000008